(57)【要約】      （修正有）【課題】医療機器の操作が適切に導かれるように、医療機器の操作支援装置を提供する。【解決手段】液体または気体を対象に導く管１を接続して使用する医療機器１０の操作を支援するための医療機器操作支援装置３０において、対象に使用する医療機器を特定する機器特定情報に対応する医療機器に管を接続して形成される回路を、医療機器の操作手順に応じて模した回路形成画像を取得し、回路形成画像を、医療機器の操作手順に従って表示し、回路形成画像が表示された後、入力を受け付け、入力に対して、医療機器を適切に稼働させるために必要な稼働情報を取得し、回路形成画像の部分に稼働情報を反映させて表示するように制御する。【選択図】図１
2015223497.tif 000002
【特許請求の範囲】
【請求項１】
液体または気体を対象に導く管を接続して使用する医療機器の操作を支援するための医療機器操作支援装置において、
前記対象に使用する医療機器を特定する機器特定情報に対応する当該医療機器に前記管を接続して形成される回路を、前記医療機器の操作手順に応じて模した回路形成画像を取得する画像取得手段と、
前記回路形成画像を、前記医療機器の操作手順に従って表示する表示手段と、
前記回路形成画像が表示された後、入力を受け付ける入力受付手段と、
前記入力に対して、前記医療機器を適切に稼働させるために必要な稼働情報を取得する稼働情報取得手段と、
前記回路形成画像の部分に前記稼働情報を反映させて表示するように、前記表示手段を制御する表示制御手段と、
を備えたことを特徴とする医療機器操作支援装置。
【請求項２】
請求項１に記載の医療機器操作支援装置において、
前記回路形成画像が、前記医療機器の表示画面を模した医療機器画像であり、
前記入力受付手段が、前記医療機器画像が表示された後、前記医療機器に入力する入力値を受け付け、
前記稼働情報取得手段が、前記入力値を、前記医療機器を稼働させるための値に変換した稼働値を取得し、
前記表示制御手段が、前記表示手段に表示された前記医療機器画像の表示画面の部分に前記稼働値を反映させて表示することを特徴とする医療機器操作支援装置。
【請求項３】
請求項２に記載の医療機器操作支援装置において、
前記稼働値を前記医療機器に設定した後、前記表示制御手段が、前記対象に前記医療機器を使用する段階に移行させる確認画像を表示するように、前記表示手段を制御することを特徴とする医療機器操作支援装置。
【請求項４】
請求項１から請求項３のいずれか一項に記載の医療機器操作支援装置において、
前記回路を形成する回路形成要素と前記回路形成画像との比較を促す通知をする通知手段を更に備えたことを特徴とする医療機器操作支援装置。
【請求項５】
請求項１から請求項４のいずれか一項に記載の医療機器操作支援装置において、
前記表示制御手段が、使用者が選択可能で、次の前記医療機器の操作手順に移行させる確認画像を表示するように、前記表示手段を制御し、
前記入力受付手段が、前記確認画像の選択を受け付け、
前記稼働情報取得手段が、前記稼働情報として、前記医療機器の操作の可否の判定結果を取得し、
前記表示制御手段が、前記表示手段に表示された前記回路形成画像の部分に前記判定結果を反映させて表示するように、前記表示手段を制御することを特徴とする医療機器操作支援装置。
【請求項６】
液体または気体を対象に導く管を接続して使用する医療機器の操作を支援するための医療機器操作支援方法において、
画像取得手段が、前記対象に使用する医療機器を特定する機器特定情報に対応する当該医療機器に前記管を接続して形成される回路を、前記医療機器の操作手順に応じて模した回路形成画像を取得する画像取得ステップと、
表示手段が、前記回路形成画像を、前記医療機器の操作手順に従って表示する表示ステップと、
入力受付手段が、前記回路形成画像が表示された後、入力を受け付ける入力受付ステップと、
稼働情報取得手段が、前記入力に対して、前記医療機器を適切に稼働させるために必要な稼働情報を取得する稼働情報取得ステップと、
表示制御手段が、前記回路形成画像の部分に前記稼働情報を反映させて表示するように、前記表示手段を制御する表示制御ステップと、
を有することを特徴とする医療機器操作支援方法。
【請求項７】
液体または気体を対象に導く管を接続して使用する医療機器と、当該医療機器の操作を支援するための医療機器操作支援装置と、を備えた医療機器操作支援システムにおいて、
前記対象に使用する医療機器を特定するための機器特定情報を当該医療機器から取得し、
前記医療機器操作支援装置が、
前記機器特定情報に対応する前記医療機器の表示画面を模した医療機器画像を取得する画像取得手段と、
前記医療機器に前記管を接続して形成される回路を、前記医療機器の操作手順に応じて模した回路形成画像を取得する画像取得手段と、
前記回路形成画像を、前記医療機器の操作手順に従って表示する表示手段と、
前記回路形成画像が表示された後、入力を受け付ける入力受付手段と、
前記入力に対して、前記医療機器を適切に稼働させるために必要な稼働情報を取得する稼働情報取得手段と、
前記回路形成画像の部分に前記稼働情報を反映させて表示するように、前記表示手段を制御する表示制御手段と、
を有することを特徴とする医療機器操作支援システム。
【請求項８】
請求項７に記載の医療機器操作支援システムにおいて、
前記医療機器が操作された情報を、前記医療機器から取得し、前記医療機器操作支援装置が操作された情報を、前記医療機器操作支援装置から取得する操作情報取得手段と、を更に備えたことを特徴とする医療機器操作支援システム。
【請求項９】
液体または気体を対象に導く管を接続して使用する医療機器の操作を支援するための医療機器操作支援装置用のプログラムにおいて、
コンピュータを、
前記対象に使用する医療機器を特定する機器特定情報に対応する当該医療機器に前記管を接続して形成される回路を、前記医療機器の操作手順に応じて模した回路形成画像を取得する画像取得手段、
前記回路形成画像を、前記医療機器の操作手順に従って表示する表示手段、
前記回路形成画像が表示された後、入力を受け付ける入力受付手段、
前記入力に対して、前記医療機器を適切に稼働させるために必要な稼働情報を取得する稼働情報取得手段、および、
前記回路形成画像の部分に前記稼働情報を反映させて表示するように、前記表示手段を制御する表示制御手段として機能させることを特徴とする医療機器操作支援装置用のプログラム。
【発明の詳細な説明】
【技術分野】
【０００１】  本発明は、医療機器の操作を支援するための医療機器操作支援装置、医療機器操作支援方法、医療機器操作支援システム、および、医療機器操作支援装置用プログラム技術分野に関する。
【背景技術】
【０００２】  病院等の医療現場では、輸液装置（輸液ポンプ）、人工呼吸装置、人工透析装置、人工心肺装置等の医療機器は、輸液チューブ等の、液体または気体を導く管を接続して使用されている。当該管が医療機器に適切に接続または装着されているかを通知する医療機器が開発されている。例えば、特許文献１には、輸液チューブを横方向に装着するチューブ装着部に、輸液チューブの上流側と下流側を表示する輸液チューブ設定方向表示部が設けられている輸液ポンプが開示されている。
【先行技術文献】
【特許文献】
【０００３】
【特許文献１】特開２０１２−２２３３４１号公報
【発明の概要】
【発明が解決しようとする課題】
【０００４】  しかしながら、特許文献１のような従来技術においては、チューブの装着が適切にされなかった場合に、事後的に単に警報を通知するのみで、医療機器の操作が適切に行われるように導くものではなかった。さらに、医療機器を稼働させるために、管を接続する操作の他に、様々な値を設定する操作を必要とし、医療現場では、これらの操作を適切に導く必要が生じていた。【０００５】  そこで、本発明の課題の一例は、医療機器の操作が適切に導かれるように、医療機器の操作を支援する医療機器操作支援装置等を提供することを目的とする。
【課題を解決するための手段】
【０００６】  上記課題を解決するために、請求項１に記載の発明は、液体または気体を対象に導く管を接続して使用する医療機器の操作を支援するための医療機器操作支援装置において、前記対象に使用する医療機器を特定する機器特定情報に対応する当該医療機器に前記管を接続して形成される回路を、前記医療機器の操作手順に応じて模した回路形成画像を取得する画像取得手段と、前記回路形成画像を、前記医療機器の操作手順に従って表示する表示手段と、前記回路形成画像が表示された後、入力を受け付ける入力受付手段と、前記入力に対して、前記医療機器を適切に稼働させるために必要な稼働情報を取得する稼働情報取得手段と、前記回路形成画像の部分に前記稼働情報を反映させて表示するように、前記表示手段を制御する表示制御手段と、を備えたことを特徴とする。【０００７】  請求項２に記載の発明は、請求項１に記載の医療機器操作支援装置において、前記回路形成画像が、前記医療機器の表示画面を模した医療機器画像であり、前記入力受付手段が、前記医療機器画像が表示された後、前記医療機器に入力する入力値を受け付け、
前記稼働情報取得手段が、前記入力値を、前記医療機器を稼働させるための値に変換した稼働値を取得し、前記表示制御手段が、前記表示手段に表示された前記医療機器画像の表示画面の部分に前記稼働値を反映させて表示するように、前記表示手段を制御することを特徴とする。【０００８】  請求項３に記載の発明は、請求項２に記載の医療機器操作支援装置において、前記稼働値を前記医療機器に設定した後、前記表示制御手段が、前記対象に前記医療機器を使用する段階に移行させる確認画像を表示するように、前記表示手段を制御することを特徴とする。【０００９】  請求項４に記載の発明は、請求項１から請求項３のいずれか一項に記載の医療機器操作支援装置において、前記回路を形成する回路形成要素と前記回路形成画像との比較を促す通知をする通知手段を更に備えたことを特徴とする。【００１０】  請求項５に記載の発明は、請求項１から請求項４のいずれか一項に記載の医療機器操作支援装置において、前記表示制御手段が、使用者が選択可能で、次の前記医療機器の操作手順に移行させる確認画像を表示するように、前記表示手段を制御し、前記入力受付手段が、前記確認画像の選択を受け付け、前記稼働情報取得手段が、前記稼働情報として、前記医療機器の操作の可否の判定結果を取得し、前記表示制御手段が、前記表示手段に表示された前記回路形成画像の部分に前記判定結果を反映させて表示するように、前記表示手段を制御することを特徴とする。【００１１】  請求項６に記載の発明は、液体または気体を対象に導く管を接続して使用する医療機器の操作を支援するための医療機器操作支援方法において、画像取得手段が、前記対象に使用する医療機器を特定する機器特定情報に対応する当該医療機器に前記管を接続して形成される回路を、前記医療機器の操作手順に応じて模した回路形成画像を取得する画像取得ステップと、表示手段が、前記回路形成画像を、前記医療機器の操作手順に従って表示する表示ステップと、入力受付手段が、前記回路形成画像が表示された後、入力を受け付ける入力受付ステップと、稼働情報取得手段が、前記入力に対して、前記医療機器を適切に稼働させるために必要な稼働情報を取得する稼働情報取得ステップと、表示制御手段が、前記回路形成画像の部分に前記稼働情報を反映させて表示するように、前記表示手段を制御する表示制御ステップと、を有することを特徴とする。【００１２】  請求項７に記載の発明は、液体または気体を対象に導く管を接続して使用する医療機器と、当該医療機器の操作を支援するための医療機器操作支援装置と、を備えた医療機器操作支援システムにおいて、前記対象に使用する医療機器を特定するための機器特定情報を当該医療機器から取得し、前記医療機器操作支援装置が、前記機器特定情報に対応する前記医療機器の表示画面を模した医療機器画像を取得する画像取得手段と、前記医療機器に前記管を接続して形成される回路を、前記医療機器の操作手順に応じて模した回路形成画像を取得する画像取得手段と、前記回路形成画像を、前記医療機器の操作手順に従って表示する表示手段と、前記回路形成画像が表示された後、入力を受け付ける入力受付手段と、前記入力に対して、前記医療機器を適切に稼働さ��るために必要な稼働情報を取得する稼働情報取得手段と、前記回路形成画像の部分に前記稼働情報を反映させて表示するように、前記表示手段を制御する表示制御手段と、を有することを特徴とする。【００１３】  請求項８に記載の発明は、請求項７に記載の医療機器操作支援システムにおいて、前記医療機器が操作された情報を、前記医療機器から取得し、前記医療機器操作支援装置が操作された情報を、前記医療機器操作支援装置から取得する操作情報取得手段と、を更に備えたことを特徴とする。【００１４】  請求項９に記載の発明は、液体または気体を対象に導く管を接続して使用する医療機器の操作を支援するための医療機器操作支援装置用のプログラムにおいて、コンピュータを、前記対象に使用する医療機器を特定する機器特定情報に対応する当該医療機器に前記管を接続して形成される回路を、前記医療機器の操作手順に応じて模した回路形成画像を取得する画像取得手段、前記回路形成画像を、前記医療機器の操作手順に従って表示する表示手段、前記回路形成画像が表示された後、入力を受け付ける入力受付手段、前記入力に対して、前記医療機器を適切に稼働させるために必要な稼働情報を取得する稼働情報取得手段、および、前記回路形成画像の部分に前記稼働情報を反映させて表示するように、前記表示手段を制御する表示制御手段として機能させることを特徴とする。
【発明の効果】
【００１５】  本発明によれば、医療機器操作支援装置を使用する使用者が、医療機器に管を接続して形成される回路を模し、医療機器の稼働情報を反映させた回路形成画像を見ながら、医療機器を直接操作したり、回路を形成したりできるので、医療機器の操作が適切に導かれるように、医療機器の操作を支援できる。また、医療機器操作支援装置を使用する使用者が、医療機器に管を接続して形成される回路を、医療機器の操作の手順に応じて模した回路形成画像を見ながら、医療機器を直接操作したり、回路を形成したりできるので、医療機器の操作が適切に導かれるように、医療機器の操作を支援できる。また、医療機器と管とを接続して形成される回路全体または一部等を模して、そっくり、または、類似しているため、回路全体または一部と、回路形成画像とが比較がしやすくなり、医療機器の操作が適切に導かれるように、医療機器の操作を支援できる。
【図面の簡単な説明】
【００１６】
【図１】一実施形態に係る医療機器操作支援システムの概要構成例を示す模式図である。
【図２】図１の医療機器の概要構成の一例を示すブロック図である。
【図３】図１の医療機器の操作面の一例を示す模式図である。
【図４】図３の医療機器のドア部を開いた状態の一例を示す模式図である。
【図５】図１のベッドサイド端末装置の概要構成の一例を示すブロック図である。
【図６】図１の医療機器操作支援装置の概要構成の一例を示すブロック図である。
【図７】図１の医療機器操作支援装置の表示面の一例を示す模式図である。
【図８】図１のサーバ装置の概要構成の一例を示すブロック図である。
【図９】図８の電子カルテデータベースに記憶されているデータの一例を示す図である。
【図１０】図８の操作手順データベースに記憶されているデータの一例を示す図である。
【図１１】図８の看護記録データベースに記憶されているデータの一例を示す図である。
【図１２】図８の機器管理データベースに記憶されているデータの一例を示す図である。
【図１３】一実施形態に係る医療機器操作支援システムの処理概要を示すシーケンス図である。
【図１４】図１３の回路形成支援処理のサブルーチンの一例を示すフローチャートである。
【図１５】図６の医療機器操作支援装置に表示された表示例を示す模式図である。
【図１６】図６の医療機器操作支援装置に表示された表示例を示す模式図である。
【図１７】図６の医療機器操作支援装置に表示された表示例を示す模式図である。
【図１８】図６の医療機器操作支援装置に表示された表示例を示す模式図である。
【図１９】図６の医療機器操作支援装置に表示された表示例を示す模式図である。
【図２０】図６の医療機器操作支援装置に表示された表示例を示す模式図である。
【図２１】図６の医療機器操作支援装置に表示された表示例を示す模式図である。
【図２２】図１３の回路測定処理のサブルーチンの一例を示すフローチャートである。
【図２３】図１３の医療機器設定処理のサブルーチンの一例を示すフローチャートである。
【図２４】図６の医療機器操作支援装置に表示された表示例を示す模式図である。
【図２５】図６の医療機器操作支援装置に表示された表示例を示す模式図である。
【図２６】図６の医療機器操作支援装置に表示された表示例を示す模式図である。
【図２７】図６の医療機器操作支援装置に表示された表示例を示す模式図である。
【図２８】図６の医療機器操作支援装置に表示された表示例を示す模式図である。
【図２９】図６の医療機器操作支援装置に表示された表示例を示す模式図である。
【発明を実施するための形態】
【００１７】  以下、図面を参照して本発明の実施形態について説明する。なお、以下に説明する実施の形態は、医療機器操作支援システムに対して本発明を適用した場合の実施形態である。
【００１８】［１．情報処理システムの構成及び機能概要］
まず、本実施形態に係る医療機器操作支援システムＳの構成について、図１を用いて説明する。図１は、本実施形態に係る医療機器操作支援システムＳの概要構成の一例を示す図である。
【００１９】  図１に示すように、医療機器操作支援システムＳは、液体または気体を患者Ｐ（対象の一例）に導くチューブ１を接続して使用する医療機器１０と、患者Ｐのベッドサイドに設置されるベッドサイド端末装置２０と、医療機器１０の操作を支援するための医療機器操作支援装置３０と、様々な医療情報をベッドサイド端末装置２０に提供するサーバ装置４０と、を備える。
【００２０】  ベッドサイド端末装置２０、および、サーバ装置４０は、ネットワークＮを介して、例えば、通信プロトコルにＴＣＰ／ＩＰ等を用いて相互にデータの送受信が可能になっている。ネットワークＮは、例えば、ローカルエリアネットワークにより構築されている。なお、ネットワークＮは、近距離無線通信によるネットワークインターネット、専用通信回線、移動体通信網、およびゲートウェイ等により構築されていてもよい。また、ネットワークＮは、アクセスポイントＡｐを有してもよい。医療機器操作支援装置３０は、アクセスポイントＡｐを介して、ネットワークＮに接続できるようにしてもよい。
【００２１】  ベッドサイド端末装置２０は、医療機器１０および医療機器操作支援装置３０と通信可能に、電気的または電磁気的に接続している。
【００２２】  医療機器１０は、例えば、患者Ｐに薬液を供給する輸液ポンプである。図１に示すように、医療機器１０には、輸液パック２が、チューブ１（輸液チューブ）および点滴筒３を介して接続されている。さらに、医療機器１０から出たチューブ１が、輸液クレンメ４を介して、患者Ｐに、所定の手順（医療機器の操作手順の一例）を経て接続される。なお、医療機器１０は、人工呼吸装置、人工透析装置、人工心肺装置等でもよい。医師や看護師等の使用者が医療機器１０を操作する。
【００２３】  ベッドサイド端末装置２０は、コンピュータの機能を有する。ベッドサイド端末装置２０は、処置を行う患者Ｐ毎に設置されている。
【００２４】  ベッドサイド端末装置２０は、ネットワークＮに電気的または電磁気的に接続され、サーバ装置４０から、電子カルテ情報、医療機器情報、看護記録、医療機器１０の操作手順情報（医療機器の操作手順の一例）、医薬情報等を受信する。ベッドサイド端末装置２０は、医療機器１０に電気的または電磁気的に接続され、医療機器１０に投薬情報を送信したり、医療機器１０の状態を受信したりする。ベッドサイド端末装置２０は、医療機器操作支援装置３０と電気的または電磁気的に接続して、医療機器１０の操作手順情報等を送信したり、承諾を求める表示がされた医療機器操作支援装置３０からの承諾情報等を受信したりする。
【００２５】  また、図１に示すように、ベッドサイド端末装置２０には、患者Ｐを認証するための患者認証コード（認証情報の一例）や、輸液パック２の輸液コード、医療機器の１０の機器コード等を読み取るリーダー２５が電気的または電磁気的に接続されている。
【００２６】  医療機器操作支援装置３０は、例えば、コンピュータの機能を有する携帯端末である。医療機器操作支援装置３０は、無線通信により、ベッドサイド端末装置２０と交信を行う。なお、医療機器操作支援装置３０は、有線通信により、ベッドサイド端末装置２０と交信を行ってもよい。
【００２７】  医療機器操作支援装置３０は、医療機器１０の操作手順や、医療機器１０の表示画面を模した医療機器画像を表示する。医師や看護師等の使用者が、操作手順や医療機器画像を見ながら、医療機器操作支援装置３０に入力したり、医療機器１０を操作したりする。このように、医療機器操作支援装置３０は、医療機器１０の操作を支援するための装置である。医療機器操作支援装置３０は、医師または看護師等の使用者各自が携帯してもよいし、ベッドサイド端末装置２０の近くに置かれていてもよい。
【００２８】  サーバ装置４０は、コンピュータの機能を有する。サーバ装置４０は、電子カルテ情報、医療機器情報、看護記録、操作手順情報、医薬情報等を、医療機器１０、ベッドサイド端末装置２０、医療機器操作支援装置３０等に提供する。サーバ装置４０は、例えば、病院等の医療機関、地域医療の中核のセンター等に設定されている。
【００２９】［２．情報処理サーバおよび各端末装置の構成および機能］
（２．１  医療機器１０の構成および機能）
次に、医療機器１０の構成および機能について、図２から図４を用いて説明する。
【００３０】  図２は、医療機器１０の概要構成の一例を示すブロック図である。図３は、医療機器１０の操作面の一例を示す模式図である。図４は、医療機器１０のドア部１０ａを開いた状態の一例を示す模式図である。
【００３１】  図２に示すように、医療機器１０は、表示部１１と、操作部１２と、滴下検出部１３と、気泡検出部１４と、閉塞検出部１５と、駆動部１６と、記憶部１７と、通信部１８と、制御部１９を有する。また、医療機器１０は、電源部（図示せず）、警告音を発するスピーカ部（図示せず）、ドア部１０ａが閉じられたかを検出するドアセンサ（図示せず）等を有する。また、医療機器１０は、時計機能を有する。
【００３２】  表示部１１は、例えば、液晶表示素子またはＥＬ（Ｅｌｅｃｔｒｏ  Ｌｕｍｉｎｅｓｃｅｎｃｅ）素子等によって構成されている。図３に示すように、表示部１１の表示画面１１ａには、輸液の単位時間当たりの流量、輸液パック２から供給される輸液の予定量等が表示される。
【００３３】  操作部１２は、例えば、図３に示すように、医療機器１０の操作面に設置された各種ボタンやスイッチである。操作部１２により、輸液の流量等の設定が行われる。操作部１２は、動作を開始するスタートボタン１２ａを有する。
【００３４】  表示部１１の表示画面１１ａや操作部１２の操作面は、図３に示すように、医療機器１０のドア部１０ａに形成されている。
【００３５】  滴下検出部１３は、例えば、光を発する発光素子と、発光素子からの光を受光する受光素子と、を有する。図４に示すように、滴下検出部１３は、点滴筒３に設置され、滴下検出部１３の受光素子からの信号および電力ケーブルが、医療機器１０本体に電気的に接続される。
【００３６】  発光素子からの光を、点滴筒３の滴下ノズルから滴下した輸液のしずくが遮ることにより、滴下検出部１３は、受光素子で受光する光量の変化を検出する。そして、制御部１９は、滴下検出部１３の受光素子からの信号により、しずくをカウントして、輸液パック２から供給された輸液の総量、単位時間当たりの流量等を算出する。
【００３７】  輸液のしずくを正確に検出するために、図４に示すように、点滴筒３に滴下検出部１３を適切に設置する必要がある。
【００３８】  気泡検出部１４は、例えば、超音波発信素子と、超音波受信素子とを有する。気泡検出部１４は、軟質塩化ビニル製等のチューブ１内の超音波の伝達効率の変化により、気泡を検出する。図４に示すように、気泡検出部１４は、ドア部１０ａを開いた医療機器１０の内部において、チューブ１が設定される上部（上流）に設置されている。
【００３９】  閉塞検出部１５は、例えば、発光素子と受光素子とを有する。閉塞検出部１５は、発光素子から光をチューブ１に照射してその光を受光素子により受けることにより、チューブ１内が閉塞され、流れが止まったことを検出する。図４に示すように、閉塞検出部１５は、ドア部１０ａを開いた医療機器１０内部において、チューブ１が設定される上部（上流）および下部（下流）に設置されている。
【００４０】  駆動部１６は、例えば、ステッピングモータ、および、チューブ１を順次圧するフィンガ等を有する。駆動部１６において、フィンガが送液方向に複数配列されている。駆動部１６は、フィンガを順番に周期的に駆動して輸液を送るフィンガ方式のポンプ機能を有する。
【００４１】  図４に示すように、駆動部１６は、ドア部１０ａを開いた医療機器１０の内部において、チューブ１が設定される中央部に設置されている。駆動部１６の送液方向における上流および下流に、チューブ１をまっすぐに装着するためのガイドであるチューブガイド１０ｂが設置されている。
【００４２】  なお、ポンプの方式として、ローラ方式、ボルメトリック方式、ミッドプレス方式、シリンジ方式でもよい。
【００４３】  記憶部１７は、例えば、半導体メモリ等からなり、滴下検出部１３、気泡検出部１４等の各センサからの情報を記憶する。また、記憶部１７は、医療機器１０が操作部１２により操作された情報が記憶される。これらの各センサからの情報や、操作された情報等は、サーバ装置４０等からの要求により、通信部１８を介して、サーバ装置４０に送信される。
【００４４】  なお、記憶部１７は、制御部１９の制御プログラム等の各種プログラムを記憶してもよい。各種プログラムは、例えば、他のサーバ装置等からネットワークＮおよびベッドサイド端末装置２０を介して取得されるようにしてもよいし、記録媒体に記録されてドライブ装置を介して読み込まれるようにしてもよい。
【００４５】  通信部１８は、ベッドサイド端末装置２０、医療機器操作支援装置３０等との通信を制御する。
【００４６】  制御部１９は、ＣＰＵ（Ｃｅｎｔｒａｌ  Ｐｒｏｃｅｓｓｉｎｇ  Ｕｎｉｔ）や、制御プログラム等を記憶するメモリ等を有する。制御部１９は、医療機器１０の動作を制御する。特に、制御部１９は、コンピュータ制御により、駆動部１６のステッピングモータを回転させ、ポンプの駆動を制御する。
【００４７】  図４に示すように、送液方向における上流から、気泡検出部１４、上流の閉塞検出部１５、上流のチューブガイド１０ｂ、駆動部１６、下流のチューブガイド１０ｂ、下流の閉塞検出部１５、チューブクランプ１０ｃが順に配置されている。ここで、チューブクランプ１０ｃは、ドア部１０ａが開いたときにチューブ１を固定することにより、輸液のフリーフローを防止する。なお、気泡検出部１４は、下流の閉塞検出部１５とチューブクランプ１０ｃとの間でもよい。
【００４８】（２．２  ベッドサイド端末装置２０の構成および機能）
次に、ベッドサイド端末装置２０の構成および機能について、図５を用いて説明する。
【００４９】  図５は、ベッドサイド端末装置２０の概要構成の一例を示すブロック図である。
【００５０】  図５に示すように、ベッドサイド端末装置２０は、表示部２１と、記憶部２２と、通信部２３と、操作部２４と、輸液パック２および患者Ｐ等のコードを読み取るリーダー２５と、入出力インターフェース部２６と、制御部２７と、を有する。そして、制御部２７と入出力インターフェース部２６とは、システムバス２８を介して電気的に接続されている。また、各ベッドサイド端末装置２０には、ベッドサイド端末ＩＤが割り振られていてる。
【００５１】  表示部２１は、例えば、液晶表示素子またはＥＬ素子等によって構成されている。
【００５２】  記憶部２２は、例えば、ハードディスクドライブ、ソリッドステートドライブ等により構成されている。記憶部２２は、オペレーティングシステムおよび医療機器１０の管理プログラム等の各種プログラム等を記憶する。なお、各種プログラムは、例えば、他のサーバ装置等からネットワークＮを介して取得されるようにしてもよいし、記録媒体に記録されてドライブ装置を介して読み込まれるようにしてもよい。
【００５３】  通信部２３は、ネットワークＮに電気的または電磁気的に接続して、サーバ装置４０等との通信状態を制御するようになっている。また、通信部２３は、医療機器１０と電気的または電磁気的に接続して、医療機器１０との通信状態を制御するようになっている。通信部２３は、無線通信により、医療機器操作支援装置３０との通信を制御するようになっている。
【００５４】  操作部２４は、例えば、キーボードおよびマウス等によって構成されている。なお、表示部２１がタッチパネルのようなタッチスイッチ方式の表示パネルの場合、操作部２４は、利用者が接触または近接した表示部２１の位置情報を取得する。
【００５５】  リーダー２５は、例えば、バーコードや２次元コードを読み取るコード読み取り機である。リーダー２５は、輸液パック２に貼られた輸液コード、患者Ｐのリストバンド等に貼られ患者認証コード、医療機器１０に貼られた機器コード（対象に使用する医療機器を特定するための機器特定情報の一例）、医療機器を操作する人を特定するために、医師や看護師等の使用者の認証コード（使用者ＩＤ）等を読み取る。
【００５６】  なお、リーダー２５は、ＲＦ（Ｒａｄｉｏ  Ｆｒｅｑｕｅｎｃｙ）タグを読み取る読み取り機でもよい。また、医療機器操作支援装置３０が、リーダー２５のようなリーダー機能を備えてもよい。この場合、読み取ったコードが、医療機器操作支援装置３０からベッドサイド端末装置２０に送信される。さらにこの場合、医療機器操作支援装置３０が、病院のナースステーションにあり、ネットワークＮに接続した端末装置（図示せず）、または、アクセスポイントＡｐに接続して、読み取ったコードをサーバ装置４０に送信してもよい。
【００５７】  入出力インターフェース部２６は、表示部２１、記憶部２２等と、制御部２７との間のインターフェース処理を行うようになっている。
【００５８】  制御部２７は、ＣＰＵ２７ａ、ＲＯＭ（Ｒｅａｄ  Ｏｎｌｙ  Ｍｅｍｏｒｙ）２７ｂ、ＲＡＭ（Ｒａｎｄｏｍ  Ａｃｃｅｓｓ  Ｍｅｍｏｒｙ）２７ｃ等により構成されている。そして、制御部２７は、ＣＰＵ２７ａが、ＲＯＭ２７ｂや記憶部２２に記憶された各種プログラムを読み出し実行することにより、リーダー２５が読み取った情報に基づき、サーバ装置４０から必要な情報を取得し、医療機器１０、医療機器操作支援装置３０等に送信する。
【００５９】（２．３  医療機器操作支援装置３０の構成および機能）
次に、医療機器操作支援装置３０の構成および機能について、図６および図７を用いて説明する。
【００６０】  図６は、医療機器操作支援装置３０の概要構成の一例を示すブロック図である。図７は、医療機器操作支援装置３０の表示面の一例を示す模式図である。
【００６１】  図６に示すように、携帯端末の医療機器操作支援装置３０は、表示部３１と、記憶部３２と、通信部３３と、操作部３４と、入出力インターフェース部３５と、制御部３６と、を有する。そして、制御部３６と入出力インターフェース部２６とは、システムバス３７を介して電気的に接続されている。なお、医療機器操作支援装置３０は、カメラ（図示せず）、音声入力のためのマイク（図示せず）、時計機能、医療機器操作支援装置３０を振動させるバイブレーション機能を有してもよい。また、各医療機器操作支援装置３０には、携帯端末ＩＤが割り振られていてる。
【００６２】  表示部３１（表示手段の一例）は、例えば、液晶表示素子またはＥＬ素子等によって構成されている。図７に示すように、表示部３１には医療機器１０の表示部１１の表示画面１１ａおよび医療機器１０の操作面を模した医療機器画像３１ａ、手順表示３１ｂ、ボタン３１ｃ等が表示される。
【００６３】  記憶部３２は、例えば、ソリッドステートドライブ等により構成されている。記憶部３２は、オペレーティングシステムおよび医療機器操作支援プログラム等の各種プログラム等を記憶する。なお、医療機器操作支援装置３０が、直接またはベッドサイド端末装置２０を介してネットワークＮに電気的または電磁気的に接続したり、記録媒体に記録されてドライブ装置を介して読み込まれるようにしたりして、各種プログラムを取得してもよい。
【００６４】  また、記憶部３２は、医療機器操作支援装置３０が操作部３４により操作された情報が記憶される。この操作された情報等は、サーバ装置４０等からの要求により、通信部３３を介して、サーバ装置４０に送信される。
【００６５】  通信部３３は、無線接続して、ベッドサイド端末装置２０等との通信状態を制御するようになっている。
【００６６】  操作部３４は、例えば、表示部３１がタッチパネルのようなタッチスイッチ方式の表示パネル（３１）、電源ボタン等を有する。操作部３４の表示パネル（３１）は、利用者が接触または近接した表示部３１の位置情報を取得する。
【００６７】  入出力インターフェース部３５は、表示部３１、記憶部３２等と、制御部３６との間のインターフェース処理を行うようになっている。
【００６８】  制御部３６は、ＣＰＵ３６ａ、ＲＯＭ３６ｂ、ＲＡＭ３６ｃ等により構成されている。そして、制御部３６は、ＣＰＵ３６ａが、ＲＯＭ３６ｂや記憶部３２に記憶された各種プログラムを読み出し実行することにより、医療機器画像３１ａ、手順表示３１ｂ、ボタン３１ｃ等を所定の順序で表示部３１に表示する。
【００６９】（２．４  サーバ装置４０の構成および機能）
次に、サーバ装置４０の構成および機能について、図８から図１１を用いて説明する。
【００７０】  図８は、サーバ装置４０の概要構成の一例を示すブロック図である。図９は、電子カルテデータベースに記憶されているデータの一例を示す図である。図１０は、の操作手順データベースに記憶されているデータの一例を示す図である。図１１は、看護記録データベースに記憶されているデータの一例を示す図である。図１２は、機器管理データベースに記憶されているデータの一例を示す図である。
【００７１】  図８に示すように、サーバ装置４０は、通信部４１と、記憶部４２と、表示部４３と、操作部４４と、入出力インターフェース部４５と、制御部４６と、を備えている。そして、制御部４６と入出力インターフェース部４５とは、システムバス４７を介して電気的に接続されている。
【００７２】  通信部４１は、ネットワークＮに電気的または電磁気的に接続して、ベッドサイド端末装置２０等との通信状態を制御するようになっている。
【００７３】  記憶部４２は、例えば、ハードディスクドライブ、ソリッドステートドライブ等により構成されている。記憶部４２は、様々な医療情報を記憶する。また、記憶部４２は、オペレーティングシステムおよびサーバプログラム等の各種プログラムや各種ファイル等を記憶する。なお、各種プログラム等は、例えば、他のサーバ装置等からネットワークＮを介して取得されるようにしてもよいし、記録媒体に記録されてドライブ装置を介して読み込まれるようにしてもよい。
【００７４】  また、記憶部４２には、各患者Ｐの投薬に関する情報等を記憶する電子カルテデータベース４２ａ（以下「電子カルテＤＢ４２ａ」とする。）、各医療機器１０の標準の操作手順等を記憶した操作手順データベース４２ｂ（以下「操作手順ＤＢ４２ｂ」とする。）、各患者Ｐの看護記録を記憶する看護記録データベース４２ｃ（以下「看護記録ＤＢ４２ｃ」とする。）、各医療機器１０のメンテナンス情報等を記憶する機器管理データベース４２ｄ（以下「機器管理ＤＢ４２ｄ」とする。）等が構築されている。
【００７５】  図９に示すように、電子カルテＤＢ４２ａは、各患者Ｐを特定するための患者ＩＤに関連付けられて、氏名、性別、年齢等の患者基本情報、患者Ｐに投薬する薬剤名、薬剤量、投薬時刻、担当医師等の投薬情報等を記憶する。
【００７６】  図１０に示すように、操作手順ＤＢ４２ｂは、機器ＩＤに関連付けられて、各医療機器１０の標準的な操作手順情報、医療機器１０の表示画面１１ａ等を模した医療機器画像、チューブ１等の管を医療機器１０に接続して形成される回路を、医療機器１０の操作の手順に応じて模した回路形成画像等を記憶する。
【００７７】  ここで、回路形成画像の一例として、医療機器１０の表示部１１の表示画面１１ａを模した医療機器画像、医療機器１０の操作面を模した医療機器画像、医療機器１０のドア部１０ａが開けられた医療機器１０内部の医療機器画像、管を医療機器１０に接続して形成される回路を模した回路形成画像等が挙げられる。
【００７８】  さらに、医療機器の管の回路（例えば、医療機器１０が輸液ポンプの場合の輸液回路）を模した回路形成画像の一例として、輸液パック２にチューブ１を接続した画像、点滴筒３を接続した画像、輸液クレンメ４をチューブ１に設定した画像、滴下検出部１３を点滴筒３に設定した画像、医療機器１０内部における管の回路に関連した各部（気泡検出部１４は、閉塞検出部１５、駆動部１６は、チューブガイド１０ｂ、チューブクランプ１０ｃ等）の画像、回路に関連した各部にチューブ１を設定した状態の画像等が挙げられる。
【００７９】  回路を形成する回路形成要素として、医療機器、管、管に接続または設定される部材、医療機器の各部等が挙げられる。例えば、輸液ポンプの輸液回路の場合、回路形成要素として、医療機器１０（輸液ポンプ）、チューブ１、輸液パック２、点滴筒３、輸液クレンメ４、滴下検出部１３、気泡検出部１４、閉塞検出部１５、駆動部１６、ドア部１０ａ、チューブガイド１０ｂ、チューブクランプ１０ｃ等が挙げられる。
【００８０】  なお、回路形成画像の一例として、医療機器の一部や表示画面の内容の一部や管の回路の一部に関して、色を変えたり、太くしたり、点滅させたりして強調した画像でもよい。また、人が気づきやすいように、デフォルメした画像、一部を省略した画像でもよい。また、医療機器を模した画像は、医療機器を撮像した写真画像でもよい。
【００８１】  なお、医療機器操作支援装置３０の記憶部３２が、操作手順ＤＢ４２ｂと同様のデータベースを予め記憶しておいてもよい。
【００８２】  図１１に示すように、看護記録ＤＢ４２ｃは、患者ＩＤに関連付けられて、患者基本情報、患者Ｐに過去に投薬された薬剤の種類および量等に関連した患者投薬履歴情報、患者Ｐに過去に施された処置に関する患者処置履歴情報（使用された医療機器１０の機器ＩＤを含む）、患者Ｐを担当した看護師の担当看護師履歴情報、医療処置情報、看護処置情報、患者Ｐに対して使用した医療機器１０の医療機器履歴情報、投薬および処置による例外的事象が発生した場合の例外事象履歴情報、患者Ｐの病状等を観察した結果の病状観察履歴情報、患者Ｐに対する訪問者に関する訪問者履歴情報、患者Ｐの排尿履歴情報等を記憶する。なお、医療処置情報は、例えば、看護師が実施せず医師が実施した処置で直近に行われた処置の情報等が挙げられ、次の処置情報が入力されるときには患者処置履歴情報の筆頭情報として扱われる。看護処置情報は、例えば、看護師が実施した処置で直近に行われた処置の情報等が挙げられ、次の処置情報が入力されるときには患者処置履歴情報の筆頭情報として扱われる。
【００８３】  なお、医療機器操作支援装置３０の記憶部３２が、看護記録ＤＢ４２ｃと同様のデータベースを予め記憶しておいてもよい。
【００８４】  図１２に示すように、機器管理ＤＢ４２ｄは、医療機器１０を特定する機器ＩＤ（機器特定情報の一例）に関連付けられて、機種名、機種種別の一般名称、医療機器１０の使用開始日、使用履歴（操作履歴、故障記録、調整記録を含む）、管理状態（医療機器１０の各センサからの情報、前回使用後に、点検・清掃済みであるか否かの情報等を含む）、使用可能フラグ、医療機器１０が設置してある設置場所（病室番号等）等を記憶する。
【００８５】  また、機器管理ＤＢ４２ｄの操作履歴には、患者ＩＤ、医療機器１０の使用者ＩＤに関連付けられて、医療機器１０が直接操作された履歴、医療機器操作支援装置３０が操作された履歴、医療機器操作支援装置３０を通して医療機器１０が間接的に操作された履歴が記憶されている。
【００８６】  なお、記憶部４２には、輸液コードに関連付けられて、薬剤の効能、使用上の注意点等の薬剤に関する薬剤情報の薬剤データベースが構築されている（図示せず）。なお、医療機関の外部のサーバ装置に電気的または電磁気的に接続して、薬剤情報が取得されるようにしてもよい。また、記憶部４２には、ベッドサイド端末装置２０のベッドサイド端末ＩＤと、ベッドサイド端末装置２０の設置場所（病室番号）と、患者ＩＤ等とが関連付けられて記憶されていてもよい。また、記憶部４２には、携帯端末ＩＤと、使用者ＩＤとが関連付けられて記憶されていてもよい。
【００８７】  表示部４３は、例えば、液晶表示素子またはＥＬ素子等によって構成されている。
【００８８】  操作部４４は、例えば、キーボードおよびマウス等によって構成されている。操作部４４は、タッチパネルでもよい。
【００８９】  入出力インターフェース部４５は、通信部４１および記憶部４２等と制御部４６との間のインターフェース処理を行うようになっている。
【００９０】  制御部４６は、ＣＰＵ４６ａ、ＲＯＭ４６ｂ、ＲＡＭ４６ｃ等により構成されている。そして、制御部４６は、ＣＰＵ４６ａが、ＲＯＭ４６ｂや記憶部４２に記憶された各種プログラムを読み出し実行することにより、電子カルテ情報、医療機器情報、看護記録、操作手順情報、医薬情報等を、ベッドサイド端末装置２０等に提供する。
【００９１】［３．医療機器操作支援システムＳの実施形態の動作］
次に、本発明の一実施形態に係る医療機器操作支援システムＳの実施形態の動作について図を用い説明する。
【００９２】（３．１  医療機器操作支援システムＳの動作例）
まず、医療機器操作支援システムＳの動作例について、図１３を用いて説明する。
【００９３】  図１３は、一実施形態に係る医療機器操作支援システムＳの処理概要を示すシーケンス図である。ここで、医療機器１０として、主に輸液装置（輸液ポンプ）の場合を例示して説明する。
【００９４】  まず、例えば、患者Ｐの病室に、医師の指示に従い調合された輸液パック２を、看護師等の使用者が搬送する。
【００９５】  そして、図１３に示すように、医療機器操作支援システムＳは、患者の認証情報の入力を受け付ける（ステップＳ１）。例えば、看護師等の使用者は、患者Ｐのリストバンドの患者認証コード（認証情報の一例）に、ベッドサイド端末装置２０のリーダー２５をかざす。そして、ベッドサイド端末装置２０が、リーダー２５から、患者認証コードを読み取り、患者ＩＤ（認証情報の一例）を取得する。なお、看護師等の使用者は、自身の認証コードをリーダー２５により読み取り、使用者ＩＤを予め入力しておく。そして、使用者ＩＤと、ベッドサイド端末装置２０、または、医療機器操作支援装置３０とが関連づけられていてもよい。
【００９６】  次に、医療機器操作支援システムＳは、投薬情報を取得する（ステップＳ２）。具体的には、ベッドサイド端末装置２０が、ベッドサイド端末ＩＤおよび読み取った患者ＩＤと共に、投薬情報の要求コマンドを、サーバ装置４０に送信する。サーバ装置４０は、電子カルテＤＢ４２ａを参照して、患者ＩＤに対応した投薬情報を読み出し、要求してきたベッドサイド端末装置２０に送信する。そして、ベッドサイド端末装置２０が、サーバ装置４０から投薬情報を取得する。
【００９７】  次に、医療機器操作支援システムＳは、機器特定情報の入力を受け付ける（ステップＳ３）。例えば、看護師等の使用者は、医療機器１０の機器コード（機器特定情報の一例）に、ベッドサイド端末装置２０のリーダー２５をかざす。そして、ベッドサイド端末装置２０が、リーダー２５から、機器コードを読み取り、機器ＩＤ（機器特定情報の一例）を取得する。
【００９８】  次に、医療機器操作支援システムＳは、操作手順情報および医療機器画像を取得する（ステップＳ４）。具体的には、ベッドサイド端末装置２０が、ベッドサイド端末ＩＤおよび読み取った機器ＩＤと共に、操作手順情報および医療機器画像の要求コマンドを、サーバ装置４０に送信する。サーバ装置４０は、操作手順ＤＢ４２ｂを参照して、機器ＩＤに対応した操作手順情報および医療機器画像を読み出し、要求してきたベッドサイド端末装置２０に送信する。そして、ベッドサイド端末装置２０が、サーバ装置４０から、操作手順情報および医療機器画像を取得する。なお、読み取られた患者ＩＤ、機器ＩＤは、看護記録ＤＢ４２ｃおよび機器管理ＤＢ４２ｄに記憶される。
【００９９】  次に、ベッドサイド端末装置２０が、操作手順情報および医療機器画像を、医療機器操作支援装置３０に送信する。
【０１００】  次に、医療機器操作支援システムＳは、操作手順情報および医療機器画像を取得する（ステップＳ５）。具体的には、医療機器操作支援装置３０が、ベッドサイド端末装置２０から操作手順情報および医療機器画像（回路形成画像を含む）を受信する。なお、医療機器操作支援装置３０の制御部３６が、通信部３３を介して、機器ＩＤをベッドサイド端末装置２０から取得し、機器ＩＤに基づき、記憶部３２から操作手順情報および医療機器画像を取得してもよい。
【０１０１】  このように、医療機器操作支援装置は、前記対象に使用する医療機器を特定する機器特定情報に対応する当該医療機器に前記管を接続して形成される回路を、前記医療機器の操作の手順に応じて模した回路形成画像を取得する画像取得手段の一例として機能する。
【０１０２】  次に、医療機器操作支援システムＳは、回路形成支援処理を行う（ステップＳ６）。具体的には、医療機器操作支援装置３０が、取得した操作手順情報の操作手順に従い、チューブ１等の管を医療機器１０に接続して（輸液）回路を設定するための回路形成画像および操作手順情報を表示部３１に表示する。手順によって、承諾を求める画面が表示部３１に表示される。表示部３１（操作部３４）の画面上で承諾のボタン３１ｃが選択された場合、医療機器操作支援装置３０が、承諾情報を、現在の手順を示す手順ＩＤと共にベッドサイド端末装置２０に送信する。
【０１０３】  このように、回路形成画像を含む医療機器画像および指示を表示することにより、輸液回路に関する設定の支援を行う。なお、回路形成支援処理のサブルーチンについての詳細は後述する。
【０１０４】  次に、医療機器操作支援システムＳは、承諾情報を受信する（ステップＳ７）。具体的には、ベッドサイド端末装置２０が、医療機器操作支援装置３０から承諾情報を取得する。そして、ベッドサイド端末装置２０が、承諾情報および手順ＩＤを、医療機器１０に送信する。
【０１０５】  次に、医療機器操作支援システムＳは、回路測定処理を行う（ステップＳ８）。具体的には、医療機器１０の制御部１９が、承諾情報および手順ＩＤを、通信部１８を介して受信し、操作が適切であるか否かを判定する。制御部１９は、判定結果を、通信部１８およびベッドサイド端末装置２０を介して医療機器操作支援装置３０に送信する。医療機器操作支援装置３０は、受信した判定結果に基づき、次の手順の回路形成画像を表示したり、警告したりする。なお、回路測定処理のサブルーチンについての詳細は後述する。
【０１０６】  次に、医療機器操作支援システムＳは、医療機器設定処理を行う（ステップＳ９）。具体的には、医療機器操作支援装置３０が、操作手順に従い、医療機器画像を表示部３１に表示して、医療機器１０のパラメータを設定するための入力値を受け付ける。そして、医療機器操作支援装置３０が、入力値を医療機器１０の稼働値に変換して、表示部３１に表示されている医療機器画像に稼働値を反映させる。
【０１０７】  医療機器操作支援装置３０が、稼働値により医療機器１０のパラメータを設定させるために、医療機器１０の稼働値をベッドサイド端末装置に送信する。
【０１０８】  医療機器操作支援装置３０が、稼働値が反映された医療機器画像と、医療機器１０の表示画面１１ａとの比較を促す通知を行う。医療機器操作支援装置３０は、医療機器１０を使用する段階に移行させる確認画像を表示する。なお、医療機器設定処理のサブルーチンについての詳細は後述する。
【０１０９】  次に、医療機器操作支援システムＳは、稼働値を受信する（ステップＳ１０）。具体的には、ベッドサイド端末装置２０が、医療機器操作支援装置３０から稼働値を受信し、医療機器１０に送信する。
【０１１０】  次に、医療機器操作支援システムＳは、稼働値を設定する（ステップＳ１１）。具体的には、医療機器１０が、通信部１８を介して、ベッドサイド端末装置２０から稼働値を受信する。医療機器１０の制御部１９が、受信した稼働値にパラメータを設定する。そして、制御部１９が、表示部１１の表示画面１１ａに稼働値を表示させる。
【０１１１】  次に、医療機器操作支援システムＳは、動作開始の承諾を受け付ける（ステップＳ１２）。具体的には、医療機器操作支援装置３０が、医療機器１０を使用する段階に移行させる確認画像から、入力として医療機器１０の動作を開始する承諾を受け付ける。そして、医療機器操作支援装置３０が、医療機器１０の動作を開始する承諾情報を、ベッドサイド端末装置２０に送信する。ベッドサイド端末装置２０は、この承諾情報を、医療機器１０に送信する。このように、医療機器操作支援装置３０は、前記回路形成画像が表示された後、入力を受け付ける入力受付手段の一例として機能する。
【０１１２】  なお、医療機器１０が輸液ポンプの場合、動作開始の承諾を受け付ける前に、チューブ１の先端に設置された針を、患者Ｐに穿刺するための画像を、医療機器操作支援装置３０が表示する。そして、穿刺が終わった後に、ステップＳ１２において、医療機器１０を使用する段階に移行させる確認画像が、表示部３１に表示される。
【０１１３】  次に、医療機器操作支援システムＳは、動作開始の準備を行う（ステップＳ１３）。具体的には、医療機器１０の制御部１９が、動作を開始する承諾情報を受信した後、医療機器１０のスタートボタン１２ａが押されたら、駆動部１６が輸液を送る状態にする。
【０１１４】  なお、医療機器１０は、医療機器１０が操作された情報（使用履歴の情報の一例）および医療機器１０の各センサからの情報（管理状態の情報の一例）を記憶部１７に記憶するようにしてもよい。また、医療機器操作支援装置３０は、医療機器操作支援装置３０が操作された情報を記憶部３２に記憶するようにしてもよい。これらの情報、ベッドサイド端末装置２０からの患者ＩＤや使用者ＩＤの情報に関連付けて、各記憶部に記憶されるようにしてもよい。
【０１１５】  そして、サーバ装置４０からの要求または所定の時間等に従い、医療機器１０は、記憶部１７から使用履歴および管理状態の情報を読み出し、通信部１８を介して、サーバ装置４０に送信してもよい。医療機器操作支援装置３０は、サーバ装置４０からの要求または所定の時間等に従い、記憶部３２から、医療機器操作支援装置３０の操作の情報（特に、医療機器１０の操作支援に関連する情報）を読み出し、通信部３３を介して、サーバ装置４０に送信してもよい。
【０１１６】  そして、サーバ装置４０は、受信した使用履歴および管理状態の情報、医療機器操作支援装置３０の操作の情報を、機器管理ＤＢ４２ｄに記憶してもよい。また、これらの情報は、患者ＩＤおよび使用者ＩＤとともに記憶されてもよい。このように、サーバ装置４０は、前記医療機器が操作された情報を、前記医療機器から取得し、前記医療機器操作支援装置が操作された情報を、前記医療機器操作支援装置から取得する操作情報取得手段の一例として機能する。
【０１１７】  これらの情報に基づき、個々の使用者および支援する。例えば、これらの情報に基づき、より良い操作手順になるように、操作手順を変化するようにして、医療機器１０の操作の支援をしてもよい。
【０１１８】（３．２  回路形成支援処理のサブルーチン）
次に、回路形成支援処理のサブルーチンについて、図１４から図２１を用いて説明する。
【０１１９】  図１４は、図１３の回路形成支援処理のサブルーチンの一例を示すフローチャートである。図１５から図２１は、医療機器操作支援装置３０に表示された表示例を示す模式図である。
【０１２０】  図１４に示すように、医療機器操作支援装置３０は、回路形成画像を表示する（ステップＳ２０）。具体的には、医療機器操作支援装置３０の制御部３６が、取得した操作手順情報の操作手順に従い、チューブ１等の管を医療機器１０に接続して（輸液）回路を形成するための回路形成画像等および操作手順情報を表示部３１に表示する。
【０１２１】  例えば、図１５に示すように、医療機器１０を模した医療機器画像３１ａと、輸液パック２を模した画像３１ｄ（回路形成画像の一例）と、”（１）薬剤とポンプの確認をします”手順表示３１ｂと、指示内容表示３１ｅとが表示される。
【０１２２】  医療機器１０を準備している看護師等の使用者は、指示内容表示３１ｅに従い、輸液パック２の輸液コードをリーダー２５で読み取る。そして、ベッドサイド端末装置２０が、読み取った輸液コードと患者ＩＤとをサーバ装置４０に送信する。サーバ装置４０は、輸液コードに基づき、記憶部４２の薬剤データベースを参照して、輸液の薬剤情報を読み出し、ベッドサイド端末装置２０に送信する。
【０１２３】  ベッドサイド端末装置２０は、輸液の薬剤情報を、医療機器操作支援装置３０の結果表示用に編集して、医療機器操作支援装置３０に送信する。そして、図１５に示すように、結果表示３１ｆと、”（１）薬剤確認ＯＫ”のボタン３１ｃとが、表示部３１に表示される。
【０１２４】  ステップＳ２０において、医療機器操作支援装置３０は、医療機器１０の回路と回路形成画像との比較を促す通知を行ってもよい。なお、直接的に比較を促す記載でなくても、指示内容表示３１ｅにおいて操作を指示することにより、または、確認を促すボタン３１ｃによっても、回路を模した画像が表示されているので、自動的に、比較を促すことになりやすい。従って、医療機器１０の回路と回路形成画像との比較を促す通知には、指示内容表示３１ｅやボタン３１ｃも含まれる。また、医療機器１０の回路と回路形成画像との比較を促す通知は、音声で通知してもよい。
【０１２５】  このように、医療機器操作支援装置３０は、前記回路形成画像を、前記医療機器の操作の手順に従って表示する表示手段の一例として機能する。また、医療機器操作支援装置３０は、前記回路を形成する回路形成要素と前記回路形成画像との比較を促す通知をする通知手段の一例として機能する。
【０１２６】  次に、医療機器操作支援装置３０は、承諾を受け付ける（ステップＳ２１）。ボタン３１ｃが選択された場合、制御部３６が、操作部３４から入力として承諾信号を取得する。このように、医療機器操作支援装置３０は、前記回路形成画像が表示された後、入力を受け付ける入力受付手段の一例として機能する。
【０１２７】  次に、医療機器操作支援装置３０は、承諾情報を送信する（ステップＳ２２）。具体的には、制御部３６が、通信部３３を介して、ボタン３１ｃが選択された旨の承諾情報と、手順ＩＤとをベッドサイド端末装置２０に送信する。そして、ステップＳ７において、ベッドサイド端末装置２０は、承諾情報および手順ＩＤを受信する。
【０１２８】  次に、医療機器操作支援装置３０は、操作が適切か否かを判定する（ステップＳ２３）。具体的には、医療機器操作支援装置３０は、ステップＳ２１の承諾の受付（入力）に対して、ベッドサイド端末装置２０からの判定結果（医療機器を適切に稼働させるために必要な稼働情報の一例）を取得する。そして、ベッドサイド端末装置２０からの判定結果に基づき、医療機器操作支援装置３０は、操作が適切か否かを判定する。
【０１２９】  例えば、輸液パック２の輸液コードを読み取る手順では、サーバ装置４０は、患者ＩＤに基づき、電子カルテＤＢ４２ａを参照して、投薬情報と、輸液コードとを比較して、正しい輸液であるか判定を行う。サーバ装置４０は、判定結果をベッドサイド端末装置２０に送信する。ベッドサイド端末装置２０は、サーバ装置４０からの判定結果を医療機器操作支援装置３０に送信する。
【０１３０】  このように、医療機器操作支援装置３０は、前記入力に対して、前記医療機器を適切に稼働させるために必要な稼働情報を取得する稼働情報取得手段の一例として機能する。
【０１３１】  操作が適切でない場合（ステップＳ２３；ＮＯ）、医療機器操作支援装置３０は、通知を行う（ステップＳ２４）。例えば、サーバ装置４０における判定結果が、正しい輸液でないとの情報を受信した場合、制御部３６が、正しい輸液でない旨の情報を表示部３１に表示したり、音で知らせたりする。
【０１３２】  このように、医療機器操作支援装置３０は、前記回路形成画像の部分に前記稼働情報を反映させて表示するように、前記表示手段を制御する表示制御手段の一例として機能する。
【０１３３】  ステップＳ２４で通知した後、通知の了解ボタンが選択された場合、医療機器操作支援装置３０は、ステップＳ２０に戻り、再度、回路形成画面を表示する。
【０１３４】  操作が適切である場合（ステップＳ２３；ＹＥＳ）、医療機器操作支援装置３０は、手順ＩＤに基づき、最後の回路形成手順か否かを判定する（ステップＳ２５）。なお、判定結果が、操作が適切であるとの判定の場合、次の操作手順に進み、操作が適切でない場合、次の操作手順に進まず、通知が出るので、使用者が医療機器１０を適切に操作できるように導くことができる。
【０１３５】  以下、ステップＳ２０からＳ２５において、手順”（１）薬剤とポンプの確認をします”の次の手順”（２）輸液回路の準備をします”における手順”（２）−１  パックの接続確認”、手順”、手順”（２）−２  タンクの液量確認”手順”、（２）−３  ドア内チューブセットの確認”、手順”（２）−４  クレンメ位置・開閉の確認”の場合について、順に説明する。
【０１３６】＜手順（２）−１＞
最後の手順でない場合（ステップＳ２５；ＮＯ）、医療機器操作支援装置３０は、ステップＳ２０に戻り、次の回路形成画面を表示する。例えば、図１６に示すように、輸液パック２と点滴筒３とをチューブ１に接続を模した画像３１ｄ（回路形成画像の一例）と、点滴筒３に滴下センサ（滴下検出部１３）が設定された状態を模した画像３１ｄ（回路形成画像の一例）と、”（２）輸液回路の準備をします”および”（２）−１  パックの接続確認”手順表示３１ｂと、指示内容表示３１ｅと、回路形成の注意箇所を強調するための表示３１ｇと、”（２）−１  パックの接続確認ＯＫ”のボタン３１ｃとが、表示部３１に表示される。ここで、回路形成の注意箇所を強調するための表示３１ｇは、図１６に示すように、バルーン表示や、回路の一部を強調した画像、接続方向を示したマーク等でもよい。
【０１３７】  看護師等の使用者が、医療機器操作支援装置３０の表示部３１の画面を見て、輸液パック２と点滴筒３とをチューブ１に接続する。看護師等の使用者が、点滴筒３に、医療機器１０に接続した滴下検出部１３を設定する。
【０１３８】  設定後も看護師等の使用者が、医療機器操作支援装置３０の表示部３１の画面と設定した輸液回路と見比べて、輸液回路の確認を行う。
【０１３９】  次に、ステップＳ２１において、ボタン３１ｃが選択され、医療機器操作支援装置３０は、操作部３４から入力として承諾信号を取得する。ステップＳ２２において、医療機器操作支援装置３０は、承諾情報および手順ＩＤをベッドサイド端末装置２０に送信する。そして、ステップＳ７において、ベッドサイド端末装置２０は、承諾情報および手順ＩＤを受信する。
【０１４０】  次に、ステップＳ２３において、医療機器操作支援装置３０は、操作が適切か否かを判定する。”（２）−１  パックの接続確認”の場合、ベッドサイド端末装置２０は、承諾情報および手順ＩＤを、医療機器１０に送信する。ステップＳ８において、医療機器１０は、医療機器設定処理を行う。医療機器１０は、判定結果をベッドサイド端末装置２０に送信する。ベッドサイド端末装置２０は、医療機器１０からの判定結果を医療機器操作支援装置３０に送信する。そして、医療機器操作支援装置３０は、ベッドサイド端末装置２０からの判定結果に基づき、医療機器操作支援装置３０は、操作が適切か否かを判定する。
【０１４１】  操作が適切でない場合（ステップＳ２３；ＮＯ）、医療機器操作支援装置３０は、ステップＳ２４において、”（２）−１  パックの接続確認”の手順または操作が不適切である旨の通知を行う。
【０１４２】  例えば、図１７に示すように、”エラー発生”の警告表示３１ｈ、”警告時刻”の警告表示３１ｈ、回路形成の注意箇所を強調するための表示３１ｇ（例えば、バルーン表示でエラーの内容を示したり、画像３１ｄにおいて注意部分の色を変え、他の部分の色を薄くしたりする）、手順表示３１ｂと、エラー内容を示す指示内容表示３１ｅ（回路形成画像の部分に前記判定結果を反映させて表示する一例）と、注意箇所の確認終了の入力を受け付ける”滴下センサの装着確認ＯＫ”のボタン３１ｃとが、表示部３１に表示される。
【０１４３】  なお、エラーの種類、エラーの内容、エラーが発生した回路形成要素等が、稼働情報として取得される。回路形成の注意箇所を強調するための表示３１ｇは、回路形成画像の部分に稼働情報を反映させて表示する一例である。このように、医療機器操作支援装置３０は、前記回路形成画像の部分に前記稼働情報を反映させて表示するように、前記表示手段を制御する表示制御手段の一例として機能する。また、医療機器操作支援装置３０は、前記表示手段に表示された前記回路形成画像の部分に前記判定結果を反映させて表示するように、前記表示手段を制御する表示制御手段の一例として機能する。
【０１４４】＜手順（２）−２＞
次に、操作が適切であり（ステップＳ２３；ＹＥＳ）、最後の手順でない場合（ステップＳ２５；ＮＯ）、医療機器操作支援装置３０は、ステップＳ２０に戻り、次の回路形成画面を表示する。例えば、図１８に示すように、点滴筒３を模した画像３１ｄ（回路形成画像の一例）と、”（２）輸液回路の準備をします”および”（２）−２  タンク液量確認”手順表示３１ｂと、画像の注意箇所（点滴筒３内の液量）を強調表示して、注意を促すための表示３１ｇと、”（２）−２  タンク液量確認ＯＫ”のボタン３１ｃとが、表示部３１に表示される。
【０１４５】  看護師等の使用者が、点滴筒３の液量を確認した後、ステップＳ２１において、ボタン３１ｃが選択され、医療機器操作支援装置３０は、操作部３４から入力として承諾信号を取得する。ステップＳ２２において、医療機器操作支援装置３０は、承諾情報および手順ＩＤを送信する。そして、ステップＳ７において、ベッドサイド端末装置２０は、承諾情報および手順ＩＤを受信する。
【０１４６】  点滴筒３の液量を測定するセンサが無い場合、ステップＳ２３は省略され、医療機器操作支援装置３０は、手順ＩＤに基づき、最後の回路形成手順か否かを判定する（ステップＳ２５）。
【０１４７】＜手順（２）−３＞
次に、最後の手順でない場合（ステップＳ２５；ＮＯ）、医療機器操作支援装置３０は、ステップＳ２０に戻り、次の回路形成画面を表示する。例えば、図１９に示すように、ドア部１０ａを開いた医療機器１０の内部において、チューブ１が正しく設定された状態を模した画像３１ｄ（回路形成画像の一例）と、ドア部１０ａを開いた医療機器１０の内部において、チューブ１が正しく設定されていない状態を模した画像３１ｄ（回路形成画像の一例）と、”（２）輸液回路の準備をします”および”（２）−３  ドア内チューブセットの確認”手順表示３１ｂと、適否の状態を分かりやすくするための印３１ｉと、”（２）−３  ドア内チューブセットの確認ＯＫ”のボタン３１ｃと、指示内容表示３１ｅと、チューブ１の装着方向を強調するような矢印（回路形成の注意箇所を強調するための表示３１ｇ）と、が表示部３１に表示される。ここで、画像３１ｄは、ドア部１０ａを開いた医療機器１０の内部を模した医療機器画像３１ａに対して、チューブ１の画像を設定した画像である。
【０１４８】  看護師等の使用者が、医療機器操作支援装置３０の表示部３１の画面を見て、医療機器１０の内部にチューブ１を設定する。設定後も看護師等の使用者が、医療機器操作支援装置３０の表示部３１の画面と設定した輸液回路と見比べて、輸液回路の確認を行う。そして、医療機器１０のドア部１０ａが閉じられる。
【０１４９】  次に、ステップＳ２１において、ボタン３１ｃが選択され、医療機器操作支援装置３０は、操作部３４から入力として承諾信号を取得する。ステップＳ２２において、医療機器操作支援装置３０は、承諾情報および手順ＩＤをベッドサイド端末装置２０に送信する。そして、ステップＳ７において、ベッドサイド端末装置２０は、承諾情報および手順ＩＤを受信する。
【０１５０】  次に、ステップＳ２３において、医療機器操作支援装置３０は、操作が適切か否かを判定する。ベッドサイド端末装置２０は、承諾情報および手順ＩＤを、医療機器１０に送信する。ステップＳ８において、医療機器１０は、医療機器設定処理を行い、ドア部１０ａが的確に閉じられたかをドアセンサからの信号を取得する。医療機器１０は、ドアセンサの信号に基づき判定された判定結果をベッドサイド端末装置２０に送信する。ベッドサイド端末装置２０は、医療機器１０からの判定結果を医療機器操作支援装置３０に送信する。そして、医療機器操作支援装置３０は、ベッドサイド端末装置２０からの判定結果に基づき、医療機器操作支援装置３０は、操作が適切か否かを判定する。
【０１５１】  操作が適切でない場合（ステップＳ２３；ＮＯ）、医療機器操作支援装置３０は、ステップＳ２４において、”（２）−３  ドア内チューブセットの確認”の手順が不適切である旨の通知を行う。例えば、図１９の画像３１ｄのようなドア内部の回路形成画像において、図１７と同様に、バルーン表示でエラーの内容が示されたり、画像３１ｄにおいて注意部分の色が変えられ、他の部分の色が薄くなったりする。さらに、図１７と同様に、”エラー発生”の警告表示、”警告時刻”の警告表示、注意箇所の確認終了の入力を受け付けるボタン等も表示部３１に表示される。
【０１５２】＜手順（２）−４＞
次に、操作が適切であり（ステップＳ２３；ＹＥＳ）、最後の手順でない場合（ステップＳ２５；ＮＯ）、医療機器操作支援装置３０は、ステップＳ２０に戻り、次の回路形成画面を表示する。例えば、図２０に示すように、医療機器１０から出たチューブ１の途中に設定された輸液クレンメ４を模した画像３１ｄ（回路形成画像の一例）と、”（２）輸液回路の準備をします”および”（２）−４  クレンメ位置・開閉の確認”手順表示３１ｂと、画像の注意箇所を強調するための表示３１ｇと、”（２）−４  クレンメ位置・開閉の確認ＯＫ”のボタン３１ｃとが、表示部３１に表示される。
【０１５３】  また、次の”（２）−５  チューブの状態の確認”の手順では、適否の比較のため、チューブ１の２つの状態を模した画像３１ｄ（回路形成画像の一例）と、（２）輸液回路の準備をします”および”（２）−５  チューブの状態の確認”手順表示３１ｂと、適否の状態を分かりやすくするための印３１ｉとが、表示部３１に表示される。
【０１５４】  最後の手順である場合（ステップＳ２５；ＹＥＳ）、医療機器操作支援装置３０は、医療機器１０の設定のための医療機器画像を表示する段階に移行させる確認画像を表示する（ステップＳ２６）。例えば、図２１に示すように、医療機器操作支援装置３０は、”（２）−４  チューブの状態の確認ＯＫ”のボタン３１ｃを表示部３１に表示する。ボタン３１ｃが選択されたら、回路形成支援処理のサブルーチンが終了し、医療機器操作支援装置３０は、ステップＳ９の医療機器設定の処理を行う。
【０１５５】（３．３  回路測定処理のサブルーチン）
次に、回路測定処理のサブルーチンについて、図２２を用いて説明する。
【０１５６】  図２２は、図１３の回路測定処理のサブルーチンの一例を示すフローチャートである。
【０１５７】  図２２に示すように、医療機器１０は、承諾情報を受信する（ステップＳ３０）。具体的には、医療機器１０の制御部１９が、所定の操作手順が終了した旨の承諾情報および手順ＩＤを、通信部１８を介して、ベッドサイド端末装置２０から受信する。
【０１５８】  次に、医療機器１０は測定を行う（ステップＳ３１）。例えば、手順ＩＤに基づき、”（２）−１パックの接続確認”の手順の場合、制御部１９が、滴下検出部１３が医療機器１０に接続されているか否か、滴下検出部１３から適切な信号が来ているか否か等を判定するために、センサにより測定する。
【０１５９】  また、手順ＩＤに基づき、”（２）−３  ドア内チューブセットの確認”の手順の場合、医療機器１０のドア部１０ａが適切に閉じられる否かをドアセンサにより、制御部１９が、測定する。また、ドア部１０ａが閉じられた状態で、気泡検出部１４、閉塞検出部１５等の各センサが正常に作動しているか否か判定するための測定を制御部１９がする。
【０１６０】  次に、医療機器１０は、操作が適切かを判定する（ステップＳ３２）。具体的には、制御部１９が、各センサからの信号に基づき、医療機器１０の操作が適切かを制御部１９が判定する。
【０１６１】  操作が適切である場合（ステップＳ３２；ＹＥＳ）、医療機器１０は判定結果を送信する（ステップＳ３３）。具体的には、制御部１９が、通信部１８を介して、ベッドサイド端末装置２０に、操作が適切である旨の判定結果を送信する。
【０１６２】  一方、操作が適切でない場合（ステップＳ３２；ＮＯ）、医療機器１０は通知（アラーム）する（ステップＳ３４）。具体的には、制御部１９が、警告のメッセージを表示するように表示部１１を制御したり、警告音を発するようにスピーカを制御したりする。
【０１６３】  そして、ステップＳ３３において、制御部１９が、通信部１８を介して、ベッドサイド端末装置２０に、操作が適切でない旨の判定結果を送信する。
【０１６４】（３．４  医療機器設定処理のサブルーチン）
次に、医療機器設定処理のサブルーチンについて図２３および図２４を用いて説明する。
【０１６５】  図２３は、図１３の医療機器設定処理のサブルーチンの一例を示すフローチャートである。図２４から図２７は、医療機器操作支援装置３０に表示された表示例を示す模式図である。
【０１６６】  図２３に示すように、医療機器操作支援装置３０は、医療機器画像を表示する（ステップＳ４０）。具体的には、図２４に示すように、制御部３６が、取得した操作手順情報の操作手順に従い、医療機器１０の表示部１１の表示画面１１ａおよび医療機器１０の操作面を模した医療機器画像３１ａおよび操作手順情報を表示部３１に表示する。また、表示部３１には、”（３）輸液ポンプの設定をします”手順表示３１ｂ、ボタン３１ｃ、入力値の入力欄３１ｊ等が表示される。
【０１６７】  このように、医療機器操作支援装置３０は、前記医療機器画像を表示する表示手段の一例として機能する。
【０１６８】  次に、医療機器操作支援装置３０は、入力値を受け付ける（ステップＳ４１）。例えば、入力欄３１ｊがタップされた場合、図２５に示すように、制御部３６が、数字入力キー３１ｋを表示する。看護師等の使用者は、数字入力キー３１ｋをタップして、患者Ｐに処方されている輸液総量、および、輸液時間を入力する。
【０１６９】  なお、図２４に示すような投薬量確認のボタン３１ｃが選択された場合、医療機器操作支援装置３０は、電子カルテＤＢ４２ａから投薬情報の要求および患者ＩＤをベッドサイド端末装置２０に送信してもよい。医療機器操作支援装置３０は、ベッドサイド端末装置２０から投薬量を取得して、制御部３６が、入力欄３１ｊに入力値を反映させてもよい。
【０１７０】このように、医療機器操作支援装置３０は、前記回路形成画像が表示された後、入力を受け付ける入力受付手段の一例として機能する。また、医療機器操作支援装置３０は、前記医療機器画像が表示された後、前記医療機器に入力する入力値を受ける入力受付手段の一例として機能する。
【０１７１】  次に、医療機器操作支援装置３０は、医療機器の稼働値を表示する（ステップＳ４２）。具体的には、制御部３６が、入力された輸液総量および輸液時間から、医療機器１０を稼働させるための値に変換した稼働値（医療機器を適切に稼働させるために必要な稼働情報の一例）に変換することにより、稼働値を取得する。例えば、流量［ｍｌ／ｈ］＝５００ｍｌ×６０／１００。そして、制御部３６が、図２５に示すように、稼働値として、流量の値、予定量の値を反映した医療機器画像３１ａを、表示部３１に表示する。
【０１７２】  なお、入力値が、輸液総量と流量との組み合わせの場合は、稼働値として、輸液総量と流量そのまま、表示してもよい。入力値が、輸液時間と流量との組み合わせの場合は、稼働値として、輸液時間と流量とから輸液総量を算出してもよい。
【０１７３】  このように、医療機器操作支援装置３０は、前記入力に対して、前記医療機器を適切に稼働させるために必要な稼働情報を取得する稼働情報取得手段の一例として機能する。また、医療機器操作支援装置３０は、前記入力値を、前記医療機器を稼働させるための値に変換した稼働値を取得する稼働情報取得手段の一例として機能する。また、医療機器操作支援装置３０は、前記表示手段に表示された前記医療機器画像の表示画面の部分に前記稼働値を反映させて表示するように、前記表示手段を制御する表示制御手段の一例として機能する。
【０１７４】  そして、医療機器操作支援装置３０は、変換された稼働値を、ベッドサイド端末装置２０に送信する。ステップＳ１０において、ベッドサイド端末装置２０は、稼働値を受信し、医療機器１０に送信する。医療機器１０は、通信部１８を介して、稼働値を受信する。医療機器１０は、受信した稼働値にパラメータを設定し、表示部１１の表示画面１１ａの部分に稼働値を表示させる。
【０１７５】  次に、医療機器操作支援装置３０は、医療機器画像と表示画面１１ａとの比較を促す通知を行う（ステップＳ４３）。具体的には、図２５に示すような入力終了のボタン３１ｃが選択された場合、制御部３６が、図２６に示すように、医療機器画像と表示画面１１ａとの比較を促す画面（指示内容表示３１ｅ）を、表示部３１に表示する。なお、医療機器画像と表示画面１１ａとの比較を促す通知には、ボタン３１ｃ等も含まれる。また、医療機器操作支援装置３０は、医療機器画像と表示画面１１ａとの比較を促すように、音声で通知してもよい。
【０１７６】  看護師等の使用者は、指示内容表示３１ｅに従い、医療機器操作支援装置３０において稼働値が反映された医療機器画像３１ａと、医療機器１０の表示部１１の表示画面１１ａの稼働値と、比較して確認する。
【０１７７】  このように、医療機器操作支援装置３０は、前記医療機器の表示画面（回路形成要素の一例）と前記稼働値が表示された前記医療機器画像（回路形成画像の一例）との比較を促す通知をする通知手段の一例として機能する。
【０１７８】  なお、医療機器操作支援装置３０が、オフラインで、医療機器１０と電気的または電磁気的に接続していない場合、看護師等の使用者は、医療機器操作支援装置３０において稼働値が反映された医療機器画像３１ａを見ながら、医療機器１０に直接、稼働値を設定してもよい。
【０１７９】  次に、医療機器操作支援装置３０は、医療機器を使用する段階に移行させる確認画像を表示する（ステップＳ４４）。具体的には、制御部３６が、図２７に示すように、”Ａ様、ご了解頂けましたか？”ボタン３１ｃを表示部３１に表示して、サブルーチンを終了する。看護師等の使用者が、患者Ｐ（”Ａ様”）に、医療機器操作支援装置３０の表示部３１の画面を見せて内容を説明して、患者Ｐにボタン３１ｃを選択してもらう。
【０１８０】  なお、ボタン３１ｃを選択してもらう前に患者Ｐを特定するために、医療機器操作支援装置３０が、患者Ｐの認証コードを医療機器操作支援装置３０のカメラで撮像することにより、認証コードを読み取ってもよい。また、患者の音声をマイクから取得して、音声認識により、患者を特定してもよい。リーダー２５を医療機器操作支援装置３０に接続して患者Ｐの認証コードを読み取ってもよい。さらに、ボタン３１ｃをタップして選択の代わりに、音声認識で選択するようにしてもよい。また、患者の指紋認証により、患者Ｐを特定してもよい。また、医療機器を使用する段階に移行させる確認画像の代わりに、音声で、通知してもよい。
【０１８１】  このように、医療機器操作支援装置３０は、前記稼働値を前記医療機器に設定した後、前記対象に前記医療機器を使用する段階に移行させる確認画像を表示するように、前記表示手段を制御するように、前記表示手段を制御する表示制御手段の一例として機能する。
【０１８２】  次に、ステップＳ１２において、医療機器操作支援装置３０が、医療機器１０を使用する段階に移行させる確認画像として、”▲４▼輸液を開始します”画像と、患者に穿刺を模した画像と、穿刺の確認事項と、中断ボタンと、”穿刺完了および輸液開始”ボタンと、を表示部３１に表示する。医療機器操作支援装置３０が、”穿刺完了および輸液開始”ボタンから、医療機器１０の動作を開始する承諾を受け付ける。
【０１８３】  ここで、医療機器１０の動作が開始後のエラー発生時の表示について説明する。なお、エラーの発生原因として、患者がチューブ１を外した場合、輸液がなくなった場合、医療機器１０自体の故障等が挙げられる。医療機器１０の各センサが、エラーを検出する。
【０１８４】  特定の医療機器１０において、エラーが発生した場合、医療機器１０は、機器ＩＤと、医療機器１０の各センサに応じたエラー情報とを、ベッドサイド端末装置２０に送信する。ベッドサイド端末装置２０は、ベッドサイド端末ＩＤと共に、受信した機器ＩＤおよびエラー情報をサーバ装置４０に送信する。
【０１８５】  サーバ装置４０は、記憶部４２のデータベースを参照して、機器ＩＤまたはベッドサイド端末ＩＤから、医療機器１０が設置された場所（例えば、病室番号）、患者ＩＤ等を求める。そして、サーバ装置４０は、医療機器１０が設置された場所に関する情報、患者ＩＤ等を、医療機器操作支援装置３０に送信する。なお、サーバ装置４０は、アクセスポイントＡｐを介して、医療機器１０が設置された場所に関する情報を、他の医療機器操作支援装置３０に送信してもよい。この場合、気がついた看護師等の使用者がエラーに対処できる。
【０１８６】  医療機器操作支援装置３０は、図２８に示すように、表示部３１にエラー関連の情報を、表示部３１に表示する。例えば、医療機器１０の表示画面１１ａ（回路形成画像の部分の一例）にエラー表示された状態（判定結果の一例）を模した医療機器画像３１ａと、エラーが発生した医療機器１０が設置してある場所や、患者の氏名、エラーの原因の内容等を示した指示内容表示３１ｅと、警告表示３１ｈと、エラー内容の詳細を確認するためのボタン３１ｃ等とが、表示される。
【０１８７】  なお、医療機器操作支援装置３０自体が振動して、エラーの発生を使用者が気づきやくするようにしてもよい。医療機器操作支援装置３０に警告ランプまたは表示部３１の表示が点滅するようにしてもよい。
【０１８８】  このように、医療機器操作支援装置３０は、前記回路形成画像の部分に前記稼働情報を反映させて表示するように、前記表示手段を制御する表示制御手段の一例として機能する。また、医療機器操作支援装置３０は、前記表示手段に表示された前記回路形成画像の部分に前記判定結果を反映させて表示するように、前記表示手段を制御する表示制御手段の一例として機能する。
【０１８９】  エラー内容の詳細を確認するためのボタン３１ｃが選択された場合、図２９に示すように、エラー内容の詳細を確認するための表示が、表示部３１に現れる。例えば、医療機器１０の表示画面１１ａ（回路形成画像の部分の一例）にエラー表示された状態（判定結果の一例）を模した医療機器画像３１ａと、エラーの種類を示す指示内容表示３１ｅと、”エラー発生”の警告表示３１ｈと、”警告時刻”の警告表示３１ｈと、エラー対処開始ボタン３１ｃ−１と、音声報告ボタン３１ｃ−２と、エラー対処完了ボタン３１ｃ−３等とが、表示部３１に表示される。
【０１９０】  指示内容表示３１ｅには、複数のエラーの種類のうち、エラーの発生の原因に関連する特定の種類が強調されたり、表示されたりする。また、エラー対処開始ボタン３１ｃ−１が選択されると、これに対応した対処方法が表示される。エラー対処完了ボタン３１ｃ−３が選択されると、サーバ装置４０等に対処完了の報告情報が送信される。音声報告ボタン３１ｃ−２が選択されると、看護師等の使用者が話した音声が、ナースステーション等に放送される。なお、ベッドサイド端末装置２０の表示部２１に、図２８および図２９のような表示がされてもよい。
【０１９１】  以上、本実施形態によれば、医療機器操作支援装置３０を使用する使用者が、医療機器１０に管（例えば、チューブ１）を接続して形成される回路を模し、医療機器１０の稼働情報を反映させた回路形成画像（医療機器画像３１ａ、画像３１ｄ等）を見ながら、医療機器１０を直接操作したり、回路を形成したりできるので、医療機器１０の操作が適切に導かれるように、医療機器１０の操作を支援できる。
【０１９２】  また医療機器操作支援装置３０を使用する使用者が、医療機器１０に管（例えば、チューブ１）を接続して形成される回路を、医療機器１０の操作の手順に応じて模した回路形成画像（医療機器画像３１ａ、画像３１ｄ等）を、を見ながら、医療機器１０を直接操作したり、回路を形成したりできるので、医療機器１０の操作が適切に導かれるように、医療機器１０の操作を支援できる。
【０１９３】  また、医療機器１０と管（例えば、チューブ１）とを接続して形成される回路全体または一部（回路形成要素）等を模して、そっくりまたは類似しているため、回路全体または一部と、回路形成画像（医療機器画像３１ａ、画像３１ｄ等）とが比較がしやすくなり、医療機器１０の操作が適切に導かれるように、医療機器１０の操作を支援できる。
【０１９４】  また、医療機器操作支援装置３０を使用する使用者が、医療機器１０の表示画面１１ａを模した医療機器画像３１ａおよび医療機器１０の稼働値を見ながら、医療機器１０を操作できるので、医療機器１０の操作が適切に導かれるように、医療機器１０の操作を支援できる。
【０１９５】  また、医療機器１０の表示画面１１ａを模した医療機器画像３１ａであるので、実際に医療機器１０を患者Ｐがのぞいて確認しなくても、医療機器操作支援装置３０の表示部３１の画面を患者Ｐに見せることにより、稼働値等の情報を、患者Ｐと共有しやすくなる。
【０１９６】  また、医療機器１０の表示画面１１ａ等を模して、そっくりまたは類似しているため、医療機器１０の表示画面１１ａ等と、医療機器画像３１ａとが比較がしやすくなり、医療機器１０の操作が適切に導かれるように、医療機器１０の操作を支援できる。
【０１９７】  医療機器の１０の疑似的なインターフェースを表示できる。
【０１９８】  また、稼働値を医療機器１０に設定した後、対象（例えば、患者Ｐ）に医療機器１０を使用する段階に移行させる確認画像を表示する場合、稼働値の設定後、医療機器１０を稼働させる直前に、医療機器操作支援装置３０によって確認画像を表示して注意を促すことにより、稼働値の正確な入力を確実にできるように、最終確認を取ることができる。また、確認画像を患者に見せて、図２７に示すように、同意を求めるボタン３１ｃを患者Ｐに選択してもらえるようにすることにより、患者Ｐの同意の下、医療機器１０の使用を開始できる。
【０１９９】  また、回路を形成する回路形成要素（医療機器１０、医療機器１０の表示画面１１ａ、チューブ１、輸液パック２、点滴筒３、輸液クレンメ４、滴下検出部１３、気泡検出部１４、閉塞検出部１５、駆動部１６、ドア部１０ａ、チューブガイド１０ｂ、チューブクランプ１０ｃ等）と、回路形成画像（画像３１ｄ、稼働値が表示された医療機器画像３１ａ等）との比較を促す通知をする場合、通知に従い、例えば稼働値が表示された医療機器画像３１ａと医療機器１０の表示画面１１ａとを比較しながら、医療機器１０を操作できるので、医療機器１０の操作が適切に導かれ、医療機器１０の正確な操作を支援できる。
【０２００】  使用者が選択可能で、次の医療機器１０の操作の手順に移行させる確認画像（例えば、図１５から図２０における画像（ボタン３１ｃ））を表示し、確認画像の選択を受け付け、稼働情報として、医療機器１０の操作の可否の判定結果を取得し、表示部３１に表示された回路形成画像（例えば、画像３１ｄ）の部分に判定結果を反映させて表示する場合（例えば、図１７、図２８、およｂ、図２９）、判定結果が反映された回路形成画像を見ながら、医療機器１０を直接操作したり、回路を形成したりできるので、医療機器１０の操作が適切に導かれるように、医療機器１０の操作を支援できる。
【０２０１】  また、管（例えば、チューブ１）を医療機器１０に接続して回路を形成する際に、当該管を医療機器１０に接続して形成される回路を模した回路形成画像を表示する場合、輸液回路等の回路を模した回路形成画像（例えば、画像３１ｄ）を見て、医療機器１０の管の設定の操作が適切に導かれる。
【０２０２】  また、医療機器１０を操作する次の段階の操作に移行させる確認画像（例えば、図１５から図２０における画像（ボタン３１ｃ））を表示する場合、次の段階に確実に、ステップバイステップで医療機器の操作が適切に導かれるように、医療機器の操作を支援できる。
【０２０３】  また、医療機器１０が操作された情報を、医療機器１０から取得し、医療機器操作支援装置３０が操作された情報を、医療機器操作支援装置３０から取得する場合、医療機器１０に対する操作の履歴を記憶することができる。
【０２０４】  なお、人工呼吸装置の場合、回路（呼吸回路）形成要素として、人工呼吸装置本体、チューブ、ウォータトラップ、バクテリアフィルタ、加温加湿器、流量センサ等が挙げられる。表示画面として、呼吸パターンや設定値を表示するモニタが挙げられる。また、稼働値として、呼吸数、換気モード、一回換気量、ピーク気道内圧、吸気フロー等が挙げられる。
【０２０５】  また、腎透析装置の場合、回路（血液回路）形成要素として、腎透析装置本体、血液ポンプ、チューブ、フィルタ、ダイアライザ等が挙げられる。表示画面として、設定値および体重、平均血圧、心拍数等の患者の状態を表示するモニタ等が挙げられる。
稼働値として、透析時間、標準化透析量、尿素除去率等が挙げられる。
【０２０６】  なお、医療機器画像３１ａが選択された場合、医療機器画像の詳細な画像や拡大画像が表示されるようにしてもよい。また、画像３１ｄが選択された場合、回路の詳細な画像や拡大画像が表示されるようにしてもよい。これらの場合、回路形成要素等を確認しやすくなり、比較しやすくなる。
【０２０７】  また、医療機器操作支援装置３０が、ベッドサイド端末装置２０の機能を有してもよい。この場合、医療機器操作支援装置３０が、医療機器１０と通信を直接行う。また、医療機器操作支援装置３０が、ネットワークＮを介して、サーバ装置４０との通信を直接行う。また、サーバ装置４０は、複数あって、各サーバ装置に機能を分散させてもよい。各サーバ装置は、異なる場所に設置されていてもよい。
【０２０８】  さらに、本発明は、上記各実施形態に限定されるものではない。上記各実施形態は、例示であり、本発明の特許請求の範囲に記載された技術的思想と実質的に同一な構成を有し、同様な作用効果を奏するものは、いかなるものであっても本発明の技術的範囲に包含される。
【符号の説明】
【０２０９】  １：チューブ（管）
１０：医療機器
１１ａ：表示画面
２０：ベッドサイド端末装置
３０：医療機器操作支援装置
３１：表示部（表示手段）
３１ａ：医療機器画像（回路形成画像）
３１ｄ：画像（回路形成画像）
４０：サーバ装置
Ｓ：医療機器操作支援システム
Ｐ：患者（対象）
【図１】
2015223497.tif 000003
【図２】
2015223497.tif 000004
【図３】
2015223497.tif 000005
【図４】
2015223497.tif 000006
【図５】
2015223497.tif 000007
【図６】
2015223497.tif 000008
【図７】
2015223497.tif 000009
【図８】
2015223497.tif 000010
【図９】
2015223497.tif 000011
【図１０】
2015223497.tif 000012
【図１１】
2015223497.tif 000013
【図１２】
2015223497.tif 000014
【図１３】
2015223497.tif 000015
【図１４】
2015223497.tif 000016
【図１５】
2015223497.tif 000017
【図１６】
2015223497.tif 000018
【図１７】
2015223497.tif 000019
【図１８】
2015223497.tif 000020
【図１９】
2015223497.tif 000021
【図２０】
2015223497.tif 000022
【図２１】
2015223497.tif 000023
【図２２】
2015223497.tif 000024
【図２３】
2015223497.tif 000025
【図２４】
2015223497.tif 000026
【図２５】
2015223497.tif 000027
【図２６】
2015223497.tif 000028
【図２７】
2015223497.tif 000029
【図２８】
2015223497.tif 000030
【図２９】
2015223497.tif 000031